(57)【特許請求の範囲】
【請求項１】
電動機と、電動機の所定の公称回転数を運転中に一定に保持するための電子的な制御装置（７）とを備えたハンマドリルであって、運転形式選択スイッチを介して穿孔運転、チッピング運転又は組み合わされた打撃穿孔運転が選択できるようになっている形式のものにおいて、
ハンマドリルが電子的な制御装置（７）のための切換装置（２０，２１）を有しており、該切換装置（２０，２１）は運転形式選択スイッチ（１）によって、チッピング運転中の電動機の公称回転数を別の運転形式における公称回転数よりも高くすることができるように、作動可能であることを特徴とする、ハンマドリル。
【請求項２】
電子的な制御装置（７）に２つのトリミング抵抗（４，５）が配設されており、該トリミング抵抗（４，５）は、運転形式選択スイッチ（１）に連結された電気スイッチ（３）を介し選択的に、電動機回転数に影響を与える予備抵抗として切換え可能であり、運転形式選択スイッチ（１）をチッピング運転に調節することによって電動機の公称回転数を高くすることができることを特徴とする、請求項１記載のハンマドリル。
【請求項３】
電気スイッチ（３）が、運転形式選択スイッチ（１）に設けられた突起（２）によって作動可能なキースイッチであることを特徴とする、請求項２記載のハンマドリル。
【請求項４】
電気スイッチ（３）が、リード接触器又はホール発信器のような無接点スイッチであることを特徴とする、請求項２記載のハンマドリル。
【請求項５】
電子的な制御装置（７）が誘導的な受容体（１１）を有し、該受容体（１１）を介し電動機の可動子（８）内に位置する所定磁極数の第１磁石条片（９）によって、電動機回転数に相応するサイクルの信号が制御装置に供給されることができ、また可動子（８）が磁極数の異なる第２の磁石条片（１０）を有し、誘導的な受容体（１１）が運転形式選択スイッチ（１）によって移動可能であり、その際、誘導的な受容体（１１）が、一方の磁石条片（９，１０）に向い合う位置から夫々他方の磁石条片（９，１０）に向い合う位置に移動可能であり、運転形式選択スイッチ（１）をチッピング運転に調節することによって電動機回転数を高めることができることを特徴とする、請求項１記載のハンマドリル。
【発明の詳細な説明】
【０００１】
【産業上の利用分野】
本発明は電動機と、電動機の所定の公称回転数を運転中に一定に保持するための電子的な制御装置とを備えたハンマドリルであって、運転形式選択スイッチを介して穿孔運転、チッピング運転又は組み合わされた打撃穿孔運転が選択できるようになっている形式のものに関する。
【０００２】
【従来の技術】
このような組合せ装置は、その多面性の故に産業界においてもまた非産業界においても屡々使用されている。穿孔ジグの回転運動におけるモータ軸の回転又は打撃機構の打撃運動又は組み合わされた運動が伝達可能であるような例に関しては、また対応する各運転形式間の切換えが実現可能であるような例に関しては、ドイツ国特許出願第３９  ３２  ４１３号明細書を参照して頂き度い。同じ様に従来の技術として、モータ回転数を一定に保っているハンマドリルのための電子的な制御装置が公知である。電気的なモータ出力は穿孔駆動及び打撃機構によって規定されている。特に大きな穿孔径で穿孔する場合には強力な負荷がかかるために、穿孔駆動に対してチッピング運転中の打撃機構に対するよりも明らかに高い出力が必要である。従って電気的なモータ出力は、打撃穿孔の場合にだけ完全に利用されていて、純粋なチッピング運転の場合には約７０−８０％が利用されているだけである。中量級及び重量級のハンマドリルの場合には使用例の５０−７０％で打撃運転が行われているので、作業時間の半分以上に亘って最大出力の下方で使用されている。従って機械の重量と出力との間に不釣合いがある場合には、結果的に利用者に不快感を与えることになる。つまり利用者は、このような欠点を辛棒するか又は穿孔とチッピングのために別個の装置を使用するかの選択に迫られる。穿孔とチッピングに別個の装置を使用するということは、調達費が嵩み、大きなスペースを必要とし、かつ全体の重量が増大するという欠点を有している。
【０００３】
【発明が解決しようとする課題】
本発明では、冒頭で述べた形式のハンマドリルを改良して、穿孔運転中もチッピング運転中も共に、１００％のモータ出力で作業することができるようにすることにある。
【０００４】
【課題を解決するための手段】
本発明では、ハンマドリルが電子的な制御装置のための切換装置を有しており、該切換装置は運転形式選択スイッチによって、チッピング運転中の電動機の公称回転数を別の運転形式における公称回転数よりも高くすることができるように、作動可能であることよって、上記課題を解決することができた。
【０００５】
【発明の効果】
これによって、モータ回転数の上昇と共に打撃数も増加し、ひいてはチッピング運転中においてもより高い最大出力を得ることができるようになった。運転形式の選択と回転数の上昇とは、運転形式選択スイッチを介して同時に行われる。
【０００６】
本発明の有利な構成が請求項２以下に述べられており、かつ部分的には図面に図示された本発明の変化態様の説明に関連して上記構成を詳しく述べることにする。
【０００７】
【実施例】
本発明の実施例を図面に図示し、次にこれを詳しく説明する。
【０００８】
図面には２つの異なった実施例の概略が図示されている。図１及び図２にはそれぞれ１つの切換装置２０，２１が図示されており、該切換装置２０，２１はそれぞれ電子制御装置７と協働し、該電子制御装置７は、主スイッチ１２を介して電力供給網に掛止されかつ導線１３を介してモータを制御している。
【０００９】
図１に図示された切換装置２０は運転形式選択スイッチ１を有し、該選択スイッチ１はその外周に１つのノブ２を有し、該ノブ２は、運転形式選択スイッチ１の回転の際チッピング運転に対応する位置においてキースイッチ３を作動せしめ、それによってモータの制御装置７の前方に抵抗４を投入する。これに対して穿孔運転又は打撃運転の場合には、キースイッチ３が図示の位置に位置しかつ電子制御装置７の前方には抵抗５が投入されている。実施例の場合抵抗４は、チッピング運転中モータのより高い公称回転数を許容するより小さな電気抵抗値を有しており、そのためチッピング運転中においても出力を最大限に利用することができる。この場合公称回転数とは、所定の運転形式におけるモータの最大回転数と理解して頂き度い。これに対し実際のモータ回転数は、例へば公知の手動トリガスイッチを用いて減少させることができる。
【００１０】
機械的なキースイッチの代りに、例へばリード接触器又はホール発信器のような無接点スイッチを使用することも可能であり、その場合は接触器が外部の影響に強く晒されないようになっている。
【００１１】
勿論このトリミング抵抗４及び５は、これが要求を充たし、かつスイッチ３の投入の際モータの公称回転数を高めることができる限り、別の形式で投入することも可能である。
【００１２】
モータの可動子８は、所定の磁極数を備えた磁石リング９を有しているため、可動子８の回転の際磁石リング９に向い合って位置する電子制御装置７の受容体１１を介して、モータ回転数のサイクルに一致する信号を供給することができるようになっている。電子制御装置７は、サイクルをモータ公称回転数に一致する所定の値で一定に保持している。
【００１３】
図２には第２の切換装置２１が図示されており、該切換装置２１は運転形式選択スイッチ１の外周部に楔部材６を有し、その高い方の端部は、運転形式選択スイッチ１をチッピング運転に選定する際、電子制御装置７を支えているスライダをばねの力に抗してモータ軸に対し平行にスライドさせる。モータの可動子８はこの場合２つの磁石リング９，１０を有し、該磁石リング９，１０はモータ軸の方向に対し相前後に配置されている。穿孔運転又は打撃運転中電子制御装置７の誘導受容体１１は、所定の磁極数を有する磁石リング９に向い合って位置している。チッピング運転中は電子制御装置７ひいては誘導受容体１１もスライダによってスライドせしめられ、かつ誘導受容体１１がより少ない磁極数を有する磁石リング１０に向い合って位置するようになる。制御装置７の誘導受容体１１を介して供給される信号のサイクルがこのように減少することによって、サイクルを一定に保持するためモータの公称回転数を高めようとする制御操作が行われるようになる。これによってチッピング運転中の公称回転数を所望の値に高めることができる。選択された運転形式に対応してモータの公称回転数を切り換えるためには、誘導受容体１１を磁石リング９，１０に対して調節するだけで充分である。制御装置７はケーシングに不動に固定されていても宜い。
【図面の簡単な説明】
【図１】切換可能な抵抗を備えた本発明のハンマドリルの第１実施例の概略図である。
【図２】スライド可能な誘導受容体を備えた本発明のハンマドリルの第２実施例の概略図である。
【符号の説明】
１    運転形式選択スイッチ
２    ノブ
３    キースイッチ
４，５    抵抗
６    楔部材
７    制御装置
８    可動子
９    磁石リング
１１    受容体
１２    主スイッチ
１３    導線
２０，２１    切換装置
【図１】
0003759635.tif 000002
【図２】
0003759635.tif 000003